(57)【特許請求の範囲】
【請求項１】
少なくとも前後一対の針床を有する横編機を用い、袖と身頃を有するニットウェアの編成方法において、袖の全ての編目と該編目に隣接する身頃の端部近傍の編目をそれぞれ該袖方向に移動することで身頃の編幅内に空針を設けて身頃の編幅を増やす工程と、前記空針の孔埋めを行うことで身頃を増目する工程と、袖の全ての編目を袖の減らしとして該身頃方向に移動することで袖の編目と身頃の端部近傍の編目による重ね目を設ける工程を備えることを特徴とする袖と身頃を有するニットウェアの編成方法。
【請求項２】
前記空針の孔埋めは、前記袖の減らしの際に袖の編目で行うことを特徴とする請求項1記載の袖と身頃を有するニットウェアの編成方法。
【請求項３】
横編機を用い、袖と身頃の接合によりアームホールが形成される袖と身頃を有するニットウェアにおいて、アームホールでは、袖の全ての編目と該編目に隣接する身頃の端部近傍の編目が、それぞれ該袖方向に移動して身頃の編幅内に空針を設けて身頃の編幅を増やし、該空針の孔埋めにより身頃の増目をし、身頃と袖の接合として該身頃方向に移動することで袖を減らす編目が重ね目となることを特徴とする袖と身頃を有するニットウェア。
【請求項４】
前記袖を減らす編目は、前記空針の孔埋めに充当し、増目された編成コース上で身頃の編目と袖の編目が交差することを特徴とする請求項３記載の袖と身頃を有するニットウェア。
【発明の詳細な説明】
【技術分野】
【０００１】
本発明は、横編機でニットウェアを編成する際、人体形状に合ったシルエットを得ることが可能なアームホールを備える袖と身頃を有するニットウェアとその編成方法に関する。
【背景技術】
【０００２】
横編機で無縫製のニットウェアを編成する場合、袖を有するニットウェアは、身頃と両袖の３つの筒を接合して一体化する編成が行われる。文献１では、身頃と両袖をそれぞれ裾から脇下まで筒状に編成した後、身頃と両袖を編みながら接合して１つの筒状体とし、さらに筒状に編成しながら徐々に筒状体の径を減少させ、セットインスリーブなどを有するセーターを編成する方法を開示している。筒径の減少の際には、編目の重なりで任意の位置にファッションラインを生じさせることで、ファッション性に富んだ筒状編地を得ている。
【先行技術文献】
【特許文献】
【０００３】
【特許文献１】特開平２ −２２９２４８ 号公報
【発明の概要】
【発明が解決しようとする課題】
【０００４】
セットインスリーブを有するニットウェアのアームホールは、文献１の図１にも示されるように、脇での袖と身頃の接合後に数回の身頃の減らしを行った後は身頃の編幅は増減しないため、肩まで鉛直な形状となっている。ニットウェアを着用した場合のシルエットや着心地等を考慮すると、身頃の脇から徐々に身頃の編幅を減らしてアームホールの周長を増やすことで、編地の突っ張りなどを減らすことができる。しかしながら、それに伴い肩幅も狭くなってしまい、デザイン等によっては減らしを行う編目数や回数を考慮することが必要な場合もある。本発明は、上記特許文献１を改良したものであって、横編機を用い、人体形状に合ったシルエットを得るために、身頃を増目し、アームホールを略円弧状の形にして肩幅を減らさずに周長を増やすと共に、その際に効率のよい増目を行う編成方法とその方法により得られるニットウェアを提供することを目的とする。
【課題を解決するための手段】
【０００５】
本発明は、少なくとも前後一対の針床を有する横編機を用い、袖と身頃を有するニットウェアの編成方法において、袖の全ての編目と該編目に隣接する身頃の端部近傍の編目をそれぞれ該袖方向に移動することで身頃の編幅内に空針を設けて身頃の編幅を増やす工程と、前記空針の孔埋めを行うことで身頃を増目する工程と、袖の全ての編目を袖の減らしとして該身頃方向に移動することで袖の編目と身頃の端部近傍の編目による重ね目を設ける工程を備えることを特徴とする。
【０００６】
また本発明では、前記空針の孔埋めは、前記袖の減らしの際に袖の編目で行うことを特徴とする。
【０００７】
さらに本発明のニットウェアは、横編機を用い、袖と身頃の接合によりアームホールが形成される袖と身頃を有するニットウェアにおいて、アームホールでは、袖の全ての編目と該編目に隣接する身頃の端部近傍の編目が、それぞれ該袖方向に移動して身頃の編幅内に空針を設けて身頃の編幅を増やし、該空針の孔埋めにより身頃の増目をし、身頃と袖の接合として該身頃方向に移動することで袖を減らす編目が重ね目となることを特徴とする。
【０００８】
また本発明のニットウェアでは、前記袖を減らす編目は、前記空針の孔埋めに充当し、増目された編成コース上で身頃の編目と袖の編目が交差することを特徴とする。
【発明の効果】
【０００９】
本発明では、アームホールの上部側でコース方向に増目することで、アームホールの周長が増えると共に、脇近傍の減らし部と合せて略円弧状のアームホールとなり、肩幅を減らすことなく人体形状に合った形のシルエットが形成できる。【００１０】
また本発明では、増目の際の孔埋めを、袖の編目と身頃の端部近傍の編目による重ね目を充当することで、孔埋めの為の新たな編目の形成工程が不要となり、編成効率の良い増目の編成方法となる。【００１１】
本発明により得られるニットウェアは、アームホールでコース方向に増目することでアームホールを略円弧状の形状として周長を増やし、肩幅も広げることが可能で、人体形状に合った形のシルエットを有する。【００１２】
さらに本発明により得られるニットウェアは、アームホールで重ね目となる編目が減り、接合部位の厚みが減る。増目の孔埋めに関しては、掛目を設けたものではないため、他の編目と同じ見栄えを実現できる。
【図面の簡単な説明】
【００１３】
【図１】本発明の実施例であるセーター１の前身側を示す図である。
【図２】本発明の実施例であるセーター１の右前側のアームホール５Ｒの増目部６Ｒにおける編成図である。
【図３】本発明の実施例であるセーター１の右前側のアームホール５Ｒの増目部６Ｒにおける編目を係止する針床の状態を示す簡略図である。
【図４】セーター１の右前側のアームホール５Ｒで、右袖３の減らしと前身頃２の増やしを独立して行う際の編目を係止する針床の状態を示す簡略図である。
【図５】本発明の実施例であるセーター１の右前側のアームホール５Ｒの増目部６Ｒにおける図２の変形例について、編目を係止する針床の状態を示す簡略図である。
【発明を実施するための形態】
【００１４】
以下、本発明の実施例としてセーター１のアームホール５の編成方法について説明する。アームホール５について、前身頃２の右側に形成するものをアームホール５Ｒ、左側に形成するものをアームホール５Ｌとし、各アームホールに対応する増目部６について、それぞれ、右側を増目部６Ｒ、左側を増目部６Ｌとする。以下の説明で編成に使用する横編機は、前後一対の針床を備えた２枚ベッド横編機であり、後針床が前針床に対してラッキング可能なものである。編成図は、説明の便宜上、実際の編成より針数を少なくしている。また、公知の４枚ベッド横編機を使ってもよい。その場合は目移し等に使う為の空針は必要としない。
【実施例】
【００１５】
図１は、セーター１における前身側を示す図である。本実施例で編成するＶネックのセットインタイプのセーター１は、前身頃２の両側に右袖３と左袖４を有し、それらが脇下から肩７のラインに至るまでアームホール５で接合される。さらにセーター１には、Ｖ首によるネックホール８があり、ネックホール８の底部で前身頃２が左右に分岐する。また、脇近傍に位置する減らし部９では、前身頃２の編幅を減らすと共に、重ね目がファッションマークとなっている。セーター１では、左右の増目部６Ｒ，６Ｌと合せて左右のアームホール５Ｒ，５Ｌの形状を略円弧状の形状とし、アームホール５の周長を増やしている。増目部６は、前身頃２が分岐した位置よりも肩７側のアームホール５の上部側に形成され、アームホール５の上部側でコース方向に増目している。増目部６を増やせば、身幅に影響せずに肩幅を広げることもできる。【００１６】
前身頃２と左右の袖３，４をそれぞれ裾、袖口から編み始め、アームホール５の増目部６に至るまでは、文献１の編成方法と同じであるため、増目部６までの編成に関する説明は省略する。更にセーター１は筒状に形成されるが、前後身頃の左右のアームホール５Ｒ，５Ｌと左右の袖３，４との接合においても編成方法がそれぞれ前後左右で対称なため、前身頃２の右側のアームホール５Ｒにおける編成方法で説明する。編地はすべて天竺で編成する。【００１７】
図２は、本発明の実施例であるセーター１の右前側のアームホール５Ｒの増目部６Ｒにおける編成図である。後述する図３〜図５にも適用するが、図中、黒丸は新たに形成する編目を、白丸は編針に係止したままの旧編目を、二重丸は重ね目を、白三角は増目の形成時に空針に移動した編目を、矢印は目移しを示す。またＦＢは前針床を、ＢＢは後針床を示し、大文字のＡ〜ＴはＦＢの編針を、小文字のａ〜ｔはＢＢの編針を、Ｓ＋数字は編成ステップを示す。【００１８】
以下、編成ステップＳ１〜Ｓ１２について説明する。Ｓ１では、前身頃２と右袖３をＦＢで編成する。右袖３を示す編針Ａ，Ｃ，Ｅ，Ｇと前身頃２を示す編針Ｉ，Ｋ，Ｍ，Ｏ，Ｑ，Ｓで編目を形成する。Ｓ２は、Ｓ１の編成方向とは逆方向に、ＦＢの編針Ｓ〜Ａで編目を形成するが、編針Ｇのみミス編成行う。後述するＳ３〜Ｓ５で行う目移しで、交差の状態となる編針Ｇと編針Ｉ間の隣接した編目の繋がりを断つことで、編成を容易にすることができる。なお、編針Ｇはニット編成でも良い。【００１９】
Ｓ３では、ＦＢの編針Ａ，Ｃ，Ｅ，Ｇ，Ｉの編目をそれぞれＢＢの編針ａ，ｃ，ｅ，ｇ，ｉに目移しする。それらの編針Ａ，Ｃ，Ｅ，Ｇは右袖３の全ての編目であり、編針Ｉは該編目に隣接する前身頃２の端部１つの編目である。Ｓ４では、ＢＢを２ピッチ（針）左にラッキングし、ＢＢの編針ｉの編目を編針Ｇに目移しする。ＦＢの編針Ｉは編目が右袖３の方向に移動して無くなり、前身頃２の編幅内に空針を設けている。前身頃２の編幅は、編針Ｉに係止していた編目が右袖３の方向に移動することで１つの編目分が増える。【００２０】
Ｓ５では、Ｓ４の状態からＢＢを４ピッチ右にラッキングし、ＢＢの編針ａ，ｃ，ｅ，ｇの編目を、それぞれＦＢの編針Ｃ，Ｅ，Ｇ，Ｉに目移しする。Ｓ１時、右袖３の編目であるＦＢの編針Ａ，Ｃ，Ｅ，Ｇの４つの編目は、このＳ５で編針Ｃ，Ｅの２つの編目に減少している。その減少した２つの編目は、編針Ｇ，Ｉに移動して右袖３の減らしと前身頃２の増目が同時に完了する。つまり空針の孔埋めを行い増目を行っている。ＦＢの編針Ｇは重ね目となり、Ｓ４で空針となっていた編針Ｉは重ね目とはならない。編針Ｉに係止する編目は、新たな編目を形成したのではなく、袖の減らしの編目を充当した形となる。空針に編目が移動するため、重ね目とはならず、空針を利用することで重ね目を設ける編目が減る。そのことで、接合部位の厚みも減る。また、この２つの編針Ｇ，Ｉに係止する編目は、Ｓ２の編成時から編目の位置が入れ替わっている。空針に掛目を形成する場合には編目が大きくなり目立ち易いが、本実施例では、編目を入れ替えることで隣接する編目の間も広がらず、編目の見栄えも変わらず綺麗に仕上がる。
【００２１】
Ｓ６では、Ｓ５の状態からＢＢを２ピッチ左にラッキングし、ＦＢの編針Ｃ〜Ｓで編目を形成する。Ｓ７では、Ｓ６の編成方向とは逆方向に、ＦＢの編針Ｓ〜Ｃで編目を形成するが、Ｓ２と同じ目的で編針Ｇのみミス編成行う。Ｓ８では、ＦＢの編針Ｃ，Ｅ，Ｇの編目をそれぞれＢＢの編針ｃ，ｅ，ｇに目移しする。それらの編針Ｃ，Ｅは右袖３の全ての編目であり、編針Ｇは該編目に隣接する前身頃２の端部１つの編目である。Ｓ９では、ＢＢを２ピッチ左にラッキングし、ＢＢの編針ｇの編目を編針Ｅに目移しする。ＦＢの編針Ｇは空針となるが、前身頃２の編幅は、編針Ｇに係止していた編目が右袖３の方向に移動することでさらに１つの編目分が増える。Ｓ１０では、Ｓ９の状態からＢＢを４ピッチ右にラッキングし、ＢＢの編針ｃ，ｅの編目を、それぞれＦＢの編針Ｅ，Ｇに目移しする。Ｓ７時、右袖３の編目であるＦＢの編針Ｃ，Ｅの２つの編目は、このステップで減少して無くなり、その減少した２つの編目が編針Ｅ，Ｇに移動し、右袖３の減らしと前身頃２の増目が同時に完了する。【００２２】
Ｓ１０により、ＦＢの編針Ｅの編目は重ね目となり、Ｓ９で空針となっていた編針Ｇは重ね目とはならない。編針Ｇに係止する編目は、新たな編目を形成したのではなく、袖の減らしの編目を充当した形となる。Ｓ１１では、Ｓ１０の状態からＢＢを２ピッチ左にラッキングし、ＦＢの編針Ｅ〜Ｓで編目を形成する。Ｓ１２では、Ｓ１１の編成方向とは逆方向に、ＦＢの編針Ｓ〜Ｅで編目を形成する。一連のステップで、Ｓ１とＳ１２を比較すると、右袖３の４目が無くなり、前身頃２の編目が２目増目されて８目となっており、袖の２目減らしを２回と、身頃の１目増やしを２回実施した形となる。【００２３】
図２の一連のステップの中で、本発明の特徴とする部分を簡略化して図３に示す。ステップの表示は図２と共通であり、同じステップ番号は内容が同じであることを示す。図３は、本発明の実施例であるセーター１の右前側のアームホール５Ｒの増目部６Ｒにおける編目を係止する針床の状態を示す簡略図である。アームホール５Ｒの形成において、前身頃２の右側と右袖３の編目の編成をＳ１で、前身頃２の増目と右袖３の減らしを行った後をＳ５で示す。前身頃２の増目処理として１目分移動した前身頃２の端部の１目と、右袖３の減らし処理として減らした２目を組み合わせて同じ編成コース上で処理する。増目の形成のため空針に移動した編目は編針Ｉに係止し、重ね目は隣接する編針Ｇに形成される。アームホール５Ｒの上部側に増目部６Ｒを形成すれば、前身頃２がコース方向に増目されてアームホール５Ｒの周長が増える。また、脇近傍の減らし部９と合せて略円弧状のアームホール５Ｒとなり、肩幅を減らすことなく人体形状に合った形のシルエットが形成できる。【００２４】
図４は、セーター１の右前側のアームホール５Ｒで、袖の減らしと身頃の増やしを独立して行う際の編目を係止する針床の状態を示す簡略図である。右袖３の減らし処理と前身頃２の増目処理をそれぞれ単独で行う方法を示している。各ステップを示すＳ１〜Ｓ３のうち、Ｓ１は図３のＳ１と同じであるが、Ｓ２の編針Ｉを空針にして編幅を増やした後、編針Ｉの孔埋めを行うステップ（前身頃２の増やし）と、Ｓ３の２つの重ね目を形成するステップ（右袖３の減らし）が図３のＳ２とは異なっている。この場合、図４のＳ２において、編針Ｉの孔埋めを行うには何種類かの方法があるが、その一例を示す。Ｓ１の編成の際に、編針Ｓ〜Ｉに新たな編目を形成した後、新たに逆方向に糸を供給して編針ｉに掛目を形成するステップを追加し、残りの編針Ｇ〜Ａに新たな編目を形成する。また、該掛目を編針Ｉに移動するもう１つのステップの追加が必要であり、編成に使う横編機のカムシステム数などにより、更に編成ステップの追加が必要な場合がある。Ｓ３においては、Ｓ２の前身頃２の増やしとは関係なく、右袖３の減らしの際の２つの編目が前身頃２に重ね目を形成する。この編成方法によれば、右袖３の減らし処理と前身頃２の増目処理をそれぞれ単独で行うことで、処理を行う位置や回数を自由に設定でき、アームホール５Ｒの形状においても細かな設定ができる。【００２５】
一方、図３で示す編成では、右袖３の減らし処理と前身頃２の増目処理が相殺される形で同時に行われている。図４での編成に比べても少ないステップで右袖３の減らし処理と前身頃２の増目処理が可能となり、編成効率が良い。さらに、編目の入れ替えで孔埋めも行える為、掛目を使った増目も不要で、他の編目の形成と同じ編成で得た編目を適用でき、同じ見栄えを実現できる。【００２６】
図５は、セーター１の右前側のアームホール５Ｒの増目部６Ｒにおける図２の変形例について、編目を係止する針床の状態を示す簡略図である。図２では、袖の減らし処理の編目数と身頃の増やし処理の編目数とを組み合わせ、同じ編成コース上で適用できることを前述したが、その組み合わせは多数存在する。図５（ａ）、（ｂ）で減らしの編目数と増やしの編目数を変更した組み合わせを一例として示す。また、図中に示すＸとＹは交差を行っている編目を示す。【００２７】
図５（ａ）に示すように、Ｓ１で、編針Ａ〜Ｓの編目で新たな編目を形成後、Ｓ２で示す前身頃２の増目が端部の編針Ｉの１目の移動で行った増目と、Ｓ３で示す右袖の減らしが３目の減らしを組み合わせると、重ね目は空針の両隣りとなる前身頃２の編針Ｇと編針Ｋの位置に形成される。右袖３を減らした３目のうち、２目が重ね目となり、１目が孔埋めに使われる。これらの編成においては、編目の交差が身頃端部で行われている為、重ね目となる編目がファッションラインとなり、前身頃２と右袖３の境界として編目がウェール方向に繋がる。さらに図５（ｂ）に示すように、Ｓ１で、編針Ａ〜Ｓの編目で新たな編目を形成後、Ｓ２で示す前身頃２の増目が端部の編針Ｉと編針Ｋの２目の移動で行った増目とする。さらに４ピッチの移動で空針を編針Ｉと編針Ｋに２つ設けて、Ｓ３で示す右袖の減らしが４目の減らしと組み合わせる。編目の位置が入れ替わることで形成される編目の交差はＸが２目とＹが２目となり、２ｘ２の交差柄としても利用可能となる。【００２８】
本実施例における増目の形成は袖と身頃がコース方向に繋がった状態で形成しているが、これに限らず、袖と編目の編成コース数を変えるために、身頃或いは袖の領域を折り返して編成し、身頃と袖のウェール方向の編目数の差を設けることで、袖と身頃がコース方向に繋がっていない状態となるが、この場合にも本発明の編成方法が適用できる。袖と身頃の直接の繋がりを持たないことで、目移しの際のラッキング量が大きい場合等にも、編成が容易となる。
【符号の説明】
【００２９】
１    セーター
２    前身頃
３    右袖
５    アームホール
６    増目部
【図１】
0005567565.tif 000002
【図２】
0005567565.tif 000003
【図３】
0005567565.tif 000004
【図４】
0005567565.tif 000005
【図５】
0005567565.tif 000006